【事件の表示】
　平成２年特許願第２３７４８６号「高周波電圧制御発振器」拒絶査定に対する審判事件［平成４年４月１７日出願公開，特開平４−１１７８０５］について，次のとおり審決する。
【結　論】
　本件審判の請求は，成り立たない。
【理　由】
Ａ　本願発明
　本件審判請求に係る特許願は，平成２年９月７日になしたものであって，明細書及び図面の記載からみて，
　その特許請求の範囲の欄の請求項１の記載に係る発明（以下，「本願発明」という）の目的，効果は，「フリーラン周波数を微調すること」であり，
　本願発明の構成は，
　複数のコンデンサとバラクタダイオード及びマイクロストリップ線路を共振器とする高周波電圧制御発振器において，前記バラクタダイオードに周波数制御電圧を供給する制御電圧入力端子と，前記マイクロストリップ線路と並行に配設されたフリーラン周波数調整用のトリミングスタブとを備え，前記制御電圧入力端子から前記バラクタダイオードに周波数制御電圧を供給して前記バラクタダイオードの容量値が前記共振器において所望の周波数に対応した一定の容量値になるように前記バラクタダイオードに供給される周波数制御電圧の電圧値を制御するとともに，前記マイクロストリップ線路と並行に配設されたフリーラン周波数調整用のトリミングスタブを前記マイクロストリップ線路に対して可変に接続できるようにして，前記マイクロストリップ線路の特性インピーダンスがインダクティブな範囲で増減いずれかの方向に微調整されるように前記トリミングスタブの接続を変化させて,前記マイクロストリップ線路の長さを変化させることなくフリーラン周波数を前記トリミングスタブの前記マイクロストリップ線路に対する接続状態に応じて調整することができるようにしたことを特徴とする高周波電圧制御発振器，
である。
　なお，特許請求の範囲の欄には「前記マイクロストリップ線路共振器の長さ」と記載されているが，「前記マイクロストリップ線路の長さ」の誤記と認められるので，前記の様に認定する。また，特許請求の範囲の欄の記載は課題を解決するための手段の欄の記載と異なる。
Ｂ　刊行物記載の発明
１　当審が平成１２年１０月１９日付けで通知した拒絶の理由において提示した，特開昭６３−２０６００９号公報（昭和６３年８月２５日特許庁発行，以下「刊行物１」という，第４図参照）には，
　複数のコンデンサ（２，３，４，１０）と「可変容量ダイオード９」及び「マイクロストリップライン５」を共振器とする高周波電圧制御発振器において，前記「可変容量ダイオード９」に周波数制御電圧を供給する「制御電圧端子６」を備え，前記「制御電圧端子６」から前記「可変容量ダイオード９」に周波数制御電圧を供給して前記「可変容量ダイオード９」の容量値が前記共振器において所望の周波数に対応した一定の容量値になるように前記「可変容量ダイオード９」に供給される周波数制御電圧の電圧値を制御するようにした高周波電圧制御発振器，
の発明が記載されている。
　ここで，上記発明を本願発明の用語で表現する。
　上記発明の「マイクロストリップライン５」，「制御電圧端子６」は，夫々本願発明の「マイクロストリップ線路」，「制御電圧入力端子」と同義であり，
　上記発明の「可変容量ダイオード９」は本願発明の「バラクタダイオード」と等価であることを考慮すると，
　刊行物１には，
　複数のコンデンサとバラクタダイオード及びマイクロストリップ線路を共振器とする高周波電圧制御発振器において，前記バラクタダイオードに周波数制御電圧を供給する制御電圧入力端子を備え，前記制御電圧入力端子から前記バラクタダイオードに周波数制御電圧を供給して前記バラクタダイオードの容量値が前記共振器において所望の周波数に対応した一定の容量値になるように前記バラクタダイオードに供給される周波数制御電圧の電圧値を制御するようにした高周波電圧制御発振器，
の発明（以下，「第１の発明」という）が記載されている。
２　同様に，当審が平成１２年１０月１９日付けで通知した拒絶の理由において提示した，特開昭５１−６４５１号公報（昭和５１年１月２０日特許庁発行，以下「刊行物２」という。第４図を参照）には，
　複数のコンデンサ（４，５，６，１１，１２）とインダクタンス素子としてのコイル（６，１０）（リアクタンス回路（６））を共振器とする（可変周波数）発振器において，該コイル（１０）のインピーダンスを可変とすることで発振器の中心周波数をそれ故出力周波数を調整するようにした発振器，
の発明（以下，「第２の発明」という）が記載されている。
３　同様に，当審が平成１２年１０月１９日付けで通知した拒絶の理由において提示した，特開昭６１−１３３７０２号公報（昭和６１年６月２１日特許庁発行，以下「刊行物３」という。従来例第３図，第４図参照）には，
　「マイクロストリップライン２」と並行に，インピーダンス調整用の「調整用パターン６」を，前記「マイクロストリップライン２」に対して「接続金属線７，８」を追加または削除して可変に接続できるように配設し，前記「マイクロストリップライン２」のインピーダンスが増減いずれかの方向に微調整されるように前記「調整用パターン６」の接続を変化させて,前記「マイクロストリップライン２」の長さを変化させることなくインピーダンスを前記「調整用パターン６」の前記「マイクロストリップライン２」に対する接続状態に応じて調整することができるようにしたインピーダンス調整手段「マイクロストリップライン２」と並行に「インピーダンス調整用パターン６」トリミングスタブを配設し，このトリミングスタブをつける位置及び長さを調整することにより，マイクロストリップ線路のインピーダンスを変化させるインピーダンス調整手段，
の発明（以下，「第３の発明」という）が記載されている。
Ｃ　本願発明の創作可能性
　本願発明（以下，「前者」という）と刊行物１に記載された第１の発明（以下，「後者」という）とを比較すると，
　両者が，
　複数のコンデンサとバラクタダイオード及びマイクロストリップ線路を共振器とする高周波電圧制御発振器において，前記バラクタダイオードに周波数制御電圧を供給する制御電圧入力端子を備え，前記制御電圧入力端子から前記バラクタダイオードに周波数制御電圧を供給して前記バラクタダイオードの容量値が前記共振器において所望の周波数に対応した一定の容量値になるように前記バラクタダイオードに供給される周波数制御電圧の電圧値を制御するようにした高周波電圧制御発振器，
を構成要件としている点で一致しており，
(1)　前者が，前記高周波電圧制御発振器のフリーラン周波数即ち出力周波数を微調することを目的として設定しているのに対して，後者がそのような目的を設定していない点，
(2)　前者が，(1)の目的を達成するために，前記マイクロストリップ線路と並行に，フリーラン周波数調整用のトリミングスタブを，前記マイクロストリップ線路に対して可変に接続できるように配設し，前記マイクロストリップ線路の特性インピーダンスがインダクティブな範囲で増減いずれかの方向に微調整されるように前記トリミングスタブの接続を変化させて,前記マイクロストリップ線路の長さを変化させることなくフリーラン周波数を前記トリミングスタブの前記マイクロストリップ線路に対する接続状態に応じて調整することができるようにしているのに対して，後者がそのようなトリミングスタブを設けていない点，
で相違している。
　従って，本願発明は，刊行物１に記載された第１の発明において，(1)′前記高周波電圧制御発振器のフリーラン周波数即ち出力周波数を微調することを目的として設定し，この目的を達成するために，(2)′前記マイクロストリップ線路と並行に，フリーラン周波数調整用のトリミングスタブを，前記マイクロストリップ線路に対して可変に接続できるように配設し，前記マイクロストリップ線路の特性インピーダンスがインダクティブな範囲で増減いずれかの方向に微調整されるように前記トリミングスタブの接続を変化させて,前記マイクロストリップ線路の長さを変化させることなくフリーラン周波数を前記トリミングスタブの前記マイクロストリップ線路に対する接続状態に応じて調整することができるようにすることにより，発明をすることができたものである。
Ｄ　本願発明の創作容易性
　上記(1)′，(2)′について検討する。
(1)′について
　高周波電圧制御発振器のフリーラン周波数即ち出力周波数を所望の周波数とするべく調整すること自体は，例示するまでもなく周知であるので，
　刊行物１に記載された第１の発明において，
　前記高周波電圧制御発振器のフリーラン周波数即ち出力周波数を微調することを目的として設定して本願発明のようにすることは，当業者が容易になし得たことである。
(2)′について，
　複数のコンデンサ（４，５，６，１１，１２）とインダクタンス素子としてのコイル（６，１０）（リアクタンス回路（６））を共振器とする（可変周波数）発振器において，該コイル（１０）のインピーダンスを可変とすることで発振器の中心周波数をそれ故出力周波数を調整するようにした発振器は刊行物２に第２の発明として記載されており，発振器を構成する共振器の構成要素のインダクタンス素子のインピーダンスを可変にすることで発振器の出力周波数を調整することは公知であり，
　刊行物１に記載された第１の発明の前記マイクロストリップ線路がインダクタンス素子として機能することは当業者に自明であるので，第１の発明の前記マイクロストリップ線路が第２の発明のコイル（１０）と等価であると認められ，
　「マイクロストリップライン２」（本願発明の「マイクロストリップ線路」と同義である）と並行に，インピーダンス調整用の「調整用パターン６」（本願発明の「トリミングスタブ」と等価である）を，前記「マイクロストリップライン２」に対して（「接続金属線７，８」を追加または削除して）可変に接続できるように配設し，前記「マイクロストリップライン２」のインピーダンスが増減いずれかの方向に微調整されるように前記「調整用パターン６」の接続を変化させて,前記「マイクロストリップライン２」の長さを変化させることなくインピーダンスを前記「調整用パターン６」の前記「マイクロストリップライン２」に対する接続状態に応じて調整することができるようにしたインピーダンス調整手段は，刊行物３に第３の発明として記載されているので，
　刊行物１に記載された第１の発明において，
　(1)′の目的を達成するために，前記マイクロストリップ線路と並行に，フリーラン周波数調整用のトリミングスタブを，前記マイクロストリップ線路に対して可変に接続できるように配設し，前記マイクロストリップ線路の特性インピーダンスがインダクティブな範囲で増減いずれかの方向に微調整されるように前記トリミングスタブの接続を変化させて,前記マイクロストリップ線路の長さを変化させることなくフリーラン周波数を前記トリミングスタブの前記マイクロストリップ線路に対する接続状態に応じて調整することができるようにして本願発明のようにすることは，当業者が容易になし得たことである。
Ｅ　結び
　以上Ａ〜Ｄ項を総合して判断すると，本願明細書の特許請求の範囲の欄の請求項１の記載に係る発明は，刊行物１に記載された第１の発明に基づき刊行物２，刊行物３に記載された第２，第３の発明を用いて当業者が容易に発明をすることができたものであるので，特許法第２９条第２項の規定により，本件審判請求人である本願出願人は本願明細書の特許請求の範囲の欄の請求項１の記載に係る発明について特許を受けることができない。
  よって，結論の通り審決する。